(57)【要約】【課題】利用者の人数やニーズに合わせた最適なカラオケ空間を利用することができる。【解決手段】カラオケ施設１は、ステージ２１が設けられていて複数のグループが共有の空間で利用できるステージエリア２と、グループ毎に利用可能な個室３１からなるカラオケボックスエリア３と、個人が利用できる一人カラオケボックスエリア４とを備え、ステージエリア２、カラオケボックスエリア３、及び一人カラオケボックスエリア４は、個人やグループが利用時間中においてそれぞれのエリア間を移動して利用できるようにした。【選択図】図１
0003143753.tif 000002
【実用新案登録請求の範囲】
【請求項１】
ステージが設けられていて、個人や複数のグループが共有の空間で利用できるステージエリアと、
グループ毎に利用可能な個室からなるカラオケボックスエリアと、
個人が利用できる一人カラオケボックスエリアと、
を備え、
前記ステージエリア、前記カラオケボックスエリア、及び前記一人カラオケボックスエリアは、個人やグループがその利用時間中においてそれぞれのエリア間を移動して利用できるように設定された空間であることを特徴とするカラオケ施設。
【請求項２】
ステージが設けられていて、個人や複数のグループが共有の空間で利用できるステージエリアと、グループ毎に利用可能な個室からなるカラオケボックスエリアと、個人が利用できる一人カラオケボックスエリアとを備えたカラオケ施設を利用したカラオケ利用方法であって、
個人やグループがその利用時間中において、前記ステージエリア、前記カラオケボックスエリア、及び前記一人カラオケボックスエリアのそれぞれのエリア間を移動して利用できるようにしたことを特徴とするカラオケ利用方法。
【請求項３】
前記ステージエリアは、利用者層に応じた時間帯が設定され、各時間帯に対応した演出が行われることを特徴とする請求項２に記載のカラオケ利用方法。
【請求項４】
夜の時間帯の前記ステージエリアは、酒場として利用されることを特徴とする請求項３に記載のカラオケ利用方法。
【請求項５】
昼の時間帯の前記ステージエリアは、喫茶として利用されることを特徴とする請求項３に記載のカラオケ利用方法。
【考案の詳細な説明】
【技術分野】
【０００１】
本考案は、個人やグループが歌って楽しむカラオケ施設およびカラオケ利用方法に関する。
【背景技術】
【０００２】
従来のカラオケ施設は、照明設備や音響設備や映像設備などが備えられた空間（部屋）がたくさん設けられていて、それぞれの人数に応じた大きさの部屋でカラオケを楽しむことができるように構成されている。ところで、これまでのカラオケ施設では、個室の大きさによって利用者の人数が制限されるという欠点があったが、このような課題に対応できるようにしたものが、例えば特許文献１に提案されている。
【０００３】
特許文献１は、複数のカラオケボックスにビデオカメラとモニターテレビを設置して、各ビデオカメラおよびモニターテレビをケーブルで接続し、他のカラオケボックスと同じ状況下でカラオケを楽しみたい場合には、ビデオカメラおよびモニターテレビ をＯＮ 状態とすることにより、 選択した他のカラオケボックス内の映像や音声をモニターテレビに出力させる発明について開示したものである。
【特許文献１】特開平５−２１６４８６号公報
【考案の開示】
【考案が解決しようとする課題】
【０００４】
しかしながら、従来のカラオケ施設では、以下のような問題があった。
すなわち、カラオケ施設を利用する利用者のニーズとして、一般的な数人のグループで個室を利用する場合のほか、例えばパーティーや宴会など多人数となる場合や、個人（一人）でカラオケを利用する場合、或いは順番待ちをしている間を利用して一人で歌ったり、練習したい場合など様々である。ところが、従来のカラオケ施設では、利用者に対して空いている所定の広さの部屋を提供するといった対応に限られてしまい、上述したような顧客ニーズに合った部屋を提供することができるとは限らないことから、その点で改良の余地があった。
また、上述した特許文献１のカラオケボックスでは、同じグループの利用者が異なる部屋に分かれてしまうため、グループ全員が同じ空間で楽しめないといった欠点があった。
【０００５】
そこで、本考案は、このような従来の事情に鑑みて提案されたものであり、利用者の人数やニーズに合わせた最適なカラオケ空間を利用することができるカラオケ施設およびカラオケ利用方法を提供することを目的とする。
【課題を解決するための手段】
【０００６】
この目的を達成するために、本考案に係るカラオケ施設では、ステージが設けられていて、個人や複数のグループが共有の空間で利用できるステージエリアと、グループ毎に利用可能な個室からなるカラオケボックスエリアと、個人が利用できる一人カラオケボックスエリアとを備え、ステージエリア、カラオケボックスエリア、及び一人カラオケボックスエリアは、個人やグループがその利用時間中においてそれぞれのエリア間を移動して利用できるように設定された空間であることを特徴としている。
【０００７】
また、本考案に係るカラオケ利用方法では、ステージが設けられていて、個人や複数のグループが共有の空間で利用できるステージエリアと、グループ毎に利用可能な個室からなるカラオケボックスエリアと、個人が利用できる一人カラオケボックスエリアとを備えたカラオケ施設を利用したカラオケ利用方法であって、個人やグループがその利用時間中において、ステージエリア、カラオケボックスエリア、及び一人カラオケボックスエリアのそれぞれのエリア間を移動して利用できるようにしたことを特徴としている。
【０００８】
本考案では、利用者の人数やニーズに合わせてステージエリア、カラオケボックスエリア、一人カラオケボックスエリアの３つの異なる形態のエリアを選択してカラオケを楽しむことができる。そして、利用者は３つのエリア間を移動して利用することが可能であるので、利用時間中、様々な形態でカラオケを楽しむことができる。例えばステージエリアで宴会を楽しんでいる利用者は、順番待ちをしている間に一時的にステージエリアから出て、空いている一人カラオケボックスエリアの一人用個室やカラオケボックスエリアの個室を使用して、歌を練習することができる。
【０００９】
また、本考案に係るカラオケ利用方法では、ステージエリアは、利用者層に応じた時間帯が設定され、各時間帯に対応した演出が行われることが好ましい。
【００１０】
本考案では、時間帯によって異なる利用者層に合わせて、多人数が共有できるステージエリアの演出を変えることができる。例えば、主婦や学生などの利用者が多い昼や夕方の時間帯では、お茶や珈琲などを飲食しながら司会者の進行によりステージ上でカラオケを披露する時間を盛り込んだ演出を行うことができ、仕事帰りの会社員などの利用者が多い夜の時間帯では、居酒屋の雰囲気を演出するとともに、利用者全員が合唱できる企画を盛り込むといった演出を行うことができる。
【００１１】
また、本考案に係るカラオケ利用方法では、夜の時間帯のステージエリアは、酒場として利用されることが好ましい。
【００１２】
本考案では、会社帰りの会社員などが多く集まる夜の時間帯において、居酒屋の雰囲気の中でステージ上でカラオケを楽しむ空間を実現することができる。
【００１３】
また、本考案に係るカラオケ利用方法では、昼の時間帯のステージエリアは、喫茶として利用されることが好ましい。
【００１４】
本考案では、主婦や学生などが多く集まる昼の時間帯において、喫茶としてお茶や珈琲等を飲食しながらステージ上でカラオケを楽しむ空間を実現することができる。
【考案の効果】
【００１５】
以上のように、本考案に係るカラオケ施設およびカラオケ利用方法では、利用者の人数や多様化する利用者のニーズに合わせてステージエリア、カラオケボックスエリア、一人カラオケボックスエリアの３つの異なる形態のエリアを選択して最適なカラオケ空間を利用することができるうえ、各エリア間を移動して利用することができるので、利用時間中、様々な形態のカラオケを楽しむことができることから、顧客へのサービスの向上を図ることができる。
【考案を実施するための最良の形態】
【００１６】
以下、本考案を適用したカラオケ施設およびカラオケ利用方法の実施の形態について、図１を参照して詳細に説明する。
図１は本考案を適用した実施の形態によるカラオケ施設を採用したカラオケ施設のレイアウトの一例を示す平面図である。
【００１７】
本考案の実施の形態によるカラオケ施設１は、複数の異なる形態のカラオケエリア（後述するステージエリア２、カラオケボックスエリア３、一人カラオケボックスエリア４）を備え、個人やグループなどの利用者が歌って楽しめる施設である。
【００１８】
すなわち、図１に示すように、カラオケ施設１は、ステージ２１が設けられていて、個人や複数のグループが共有の空間で利用できるステージエリア２と、グループ毎に利用可能な個室３１、３１からなるカラオケボックスエリア３と、個人が利用できる一人カラオケボックスエリア４とを備えている。そして、ステージエリア２、カラオケボックスエリア３、及び一人カラオケボックスエリア４は、個人やグループがその利用時間中においてそれぞれのエリア２、３、４間を移動して利用できるように設定された空間となっている。
【００１９】
なお、図１における各エリア２、３、４は、図中で二点鎖線で囲まれた範囲内に示されている。これら各エリア２、３、４には、それぞれカラオケ装置、照明設備、音響設備、映像設備などが備えられ、共通スペースとなる通路５によって移動可能となる配置となっている。
そして、本実施の形態では、一人カラオケボックスエリア４は、ステージエリア２の入口２ａ付近に配置されている。
【００２０】
具体的にステージエリア２は、パーティーや宴会などを目的とした多人数（例えば１５０人程度）を収容することが可能なテーブル席２２やカウンタ席２３を備えた所定の広さを有している。そして、本実施の形態では、テーブル席２２の正面にステージ２１が配置されている。ステージ２１には、大型モニタやマイクなどのカラオケ設備が設置され、ステージエリア２の左右両側など適宜な位置には、スピーカが配置されている。
なお、このステージエリア２は、上述したように大勢の前でカラオケを楽しむことができる空間であって、１つの団体で貸し切りにすることも可能であるし、或いは他のグループと一緒にカラオケを楽しむことができるスペースとなっている。
【００２１】
カラオケボックスエリア３の各個室３１は、例えば４名〜２０名程度を収容可能な大きさをなす空間であり、外部（通路５など）に通ずる扉が設けられ、内部にはテーブル、座席は勿論のこと、モニタ等のカラオケ装置一式が備えられている。
【００２２】
一人カラオケボックスエリア４は、例えば幅１．５ｍ、奥行き１．５ｍ程度のスペースからなる一人用個室４１、４１、…が複数個設けられている。本実施の形態では、例えば電話ボックスのように複数個の一人用個室４１、４１、…が一列（図１では左右方向）に配列されている。
【００２３】
そして、上述したカラオケボックスエリア３の個室３１、３１どうしや、一人カラオケボックスエリア４の一人用個室４１、４１どうしは、遮音壁などによって完全に仕切られ、各部屋の内部の音が外部に一切洩れないような構造になっている。
【００２４】
次に、このようなカラオケ施設１の作用及びその利用方法について具体的に説明する。
本カラオケ施設１では、利用者の人数やニーズに合わせてステージエリア２、カラオケボックスエリア３、一人カラオケボックスエリア４の３つの異なる形態のエリア２、３，４を選択してカラオケを楽しむことができるようになっている。そして、利用者は３つのエリア２、３、４間を移動して利用することが可能であるので、利用時間中、様々な形態でカラオケを楽しむことができる。
【００２５】
つまり、例えばステージエリア２で宴会を楽しんでいる利用者は、一時的にステージエリア２から出て、空いている一人カラオケボックスエリア４の一人用個室４１やカラオケボックスエリア３の個室３１を使用することができる。そのため、例えばステージエリア２で順番待ちをしている利用者や、大勢の人の前で歌うのが苦手な利用者は、一人カラオケボックスエリア４において一人で歌ったり、練習したりすることができる。
【００２６】
また、多人数が共有できるステージエリア２では、利用者層に応じた時間帯が設定され、各時間帯に対応した演出を行うことができ、その利用者層に合った演出の中でカラオケを楽しむことが可能な空間を実現することができる。
例えば、主婦や学生などの利用者が多い昼や夕方の時間帯では、お茶や珈琲などを飲食しながら司会者の進行によりステージ２１上でカラオケを披露する時間を盛り込んだ演出を行うことができ、仕事帰りの会社員などの利用者が多い夜の時間帯では、居酒屋の雰囲気を演出するとともに、利用者全員が合唱できる企画を盛り込んで、コンサートホールのような臨場感を演出することができる。
【００２７】
上述した本実施の形態によるカラオケ施設およびカラオケ利用方法では、利用者の人数や多様化する利用者のニーズに合わせてステージエリア２、カラオケボックスエリア３、一人カラオケボックスエリア４の３つの異なる形態のエリアを選択して最適なカラオケ空間を利用することができるうえ、各エリア２、３、４間を移動して利用することができるので、利用時間中、様々な形態のカラオケを楽しむことができることから、顧客へのサービスの向上を図ることができる。
【００２８】
以上、本考案によるカラオケ施設およびカラオケ利用方法の実施の形態について説明したが、本考案は上記の実施の形態に限定されるものではなく、その趣旨を逸脱しない範囲で適宜変更可能である。
例えば、本実施の形態のカラオケ施設１（図１）のレイアウトは一例であって、ステージエリア２、カラオケボックスエリア３、一人カラオケボックスエリア４の配置、広さ、個室の数量などは任意に設定することができる。
【００２９】
また、本実施の形態では、ステージエリア２の使用方法の事例について説明しているが、これに限定されることはなく、一般的な利用方法、すなわち数人のグループに対してはその人数に合った広さを有するカラオケボックスエリア３の個室３１を提供し、パーティーや宴会などを目的としたで多人数となる利用者に対してはステージ２１を備えたステージエリア２を提供し、そして個人（一人）の利用者に対しては一人カラオケボックスエリア４の一人用個室４１を提供することができる。
さらに、各エリア２、３、４の利用料金は、任意に設定できることは言うまでもない。例えば、ステージエリア２と一人カラオケボックスエリア４に対しては受付を済ませた利用者が自由に出入り（利用）することができ、カラオケボックスエリア３に対しては別料金を払うことで利用できるように設定することができる。
【図面の簡単な説明】
【００３０】
【図１】本考案を適用した実施の形態によるカラオケ施設のレイアウトの一例を示す平面図である。
【符号の説明】
【００３１】
１  カラオケ施設
２  ステージエリア
２１  ステージ
３  カラオケボックスエリア
３１  個室
４  一人カラオケボックスエリア
４１  一人用個室
【図１】
0003143753.tif 000003
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
ステージが設けられていて、個人や複数のグループが共有の空間で利用できるステージエリアと、
グループ毎に利用可能な個室からなるカラオケボックスエリアと、
個人が利用できる一人カラオケボックスエリアと、
を備え、
前記ステージエリア、前記カラオケボックスエリア、及び前記一人カラオケボックスエリアは、個人やグループがその利用時間中においてそれぞれのエリア間を移動して利用できるように設定された空間であることを特徴とするカラオケ施設。
【請求項２】
個人やグループがその利用時間中において、前記ステージエリア、前記カラオケボックスエリア、及び前記一人カラオケボックスエリアのそれぞれのエリア間を移動できることを特徴とする請求項１に記載のカラオケ施設。
【請求項３】
前記ステージエリアは、利用者層に応じた時間帯が設定され、各時間帯に対応した演出が行われることを特徴とする請求項２に記載のカラオケ施設。
【請求項４】
夜の時間帯の前記ステージエリアは、酒場として利用されることを特徴とする請求項３に記載のカラオケ施設。
【請求項５】
昼の時間帯の前記ステージエリアは、喫茶として利用されることを特徴とする請求項３に記載のカラオケ施設。
【手続補正２】
【補正対象書類名】明細書
【補正対象項目名】全文
【補正方法】変更
【補正の内容】
【考案の詳細な説明】
【技術分野】
【０００１】
本考案は、個人やグループが歌って楽しむカラオケ施設に関する。
【背景技術】
【０００２】
従来のカラオケ施設は、照明設備や音響設備や映像設備などが備えられた空間（部屋）がたくさん設けられていて、それぞれの人数に応じた大きさの部屋でカラオケを楽しむことができるように構成されている。ところで、これまでのカラオケ施設では、個室の大きさによって利用者の人数が制限されるという欠点があったが、このような課題に対応できるようにしたものが、例えば特許文献１に提案されている。
【０００３】
特許文献１は、複数のカラオケボックスにビデオカメラとモニターテレビを設置して、各ビデオカメラおよびモニターテレビをケーブルで接続し、他のカラオケボックスと同じ状況下でカラオケを楽しみたい場合には、ビデオカメラおよびモニターテレビ をＯＮ 状態とすることにより、 選択した他のカラオケボックス内の映像や音声をモニターテレビに出力させる発明について開示したものである。
【特許文献１】特開平５−２１６４８６号公報
【考案の開示】
【考案が解決しようとする課題】
【０００４】
しかしながら、従来のカラオケ施設では、以下のような問題があった。
すなわち、カラオケ施設を利用する利用者のニーズとして、一般的な数人のグループで個室を利用する場合のほか、例えばパーティーや宴会など多人数となる場合や、個人（一人）でカラオケを利用する場合、或いは順番待ちをしている間を利用して一人で歌ったり、練習したい場合など様々である。ところが、従来のカラオケ施設では、利用者に対して空いている所定の広さの部屋を提供するといった対応に限られてしまい、上述したような顧客ニーズに合った部屋を提供することができるとは限らないことから、その点で改良の余地があった。
また、上述した特許文献１のカラオケボックスでは、同じグループの利用者が異なる部屋に分かれてしまうため、グループ全員が同じ空間で楽しめないといった欠点があった。
【０００５】
そこで、本考案は、このような従来の事情に鑑みて提案されたものであり、利用者の人数やニーズに合わせた最適なカラオケ空間を利用することができるカラオケ施設を提供することを目的とする。
【課題を解決するための手段】
【０００６】
この目的を達成するために、本考案に係るカラオケ施設では、ステージが設けられていて、個人や複数のグループが共有の空間で利用できるステージエリアと、グループ毎に利用可能な個室からなるカラオケボックスエリアと、個人が利用できる一人カラオケボックスエリアとを備え、ステージエリア、カラオケボックスエリア、及び一人カラオケボックスエリアは、個人やグループがその利用時間中においてそれぞれのエリア間を移動して利用できるように設定された空間であることを特徴としている。
【０００７】
また、本考案に係るカラオケ施設では、個人やグループがその利用時間中において、ステージエリア、カラオケボックスエリア、及び一人カラオケボックスエリアのそれぞれのエリア間を移動できることが好ましい。
【０００８】
本考案では、利用者の人数やニーズに合わせてステージエリア、カラオケボックスエリア、一人カラオケボックスエリアの３つの異なる形態のエリアを選択してカラオケを楽しむことができる。そして、利用者は３つのエリア間を移動して利用することが可能であるので、利用時間中、様々な形態でカラオケを楽しむことができる。例えばステージエリアで宴会を楽しんでいる利用者は、順番待ちをしている間に一時的にステージエリアから出て、空いている一人カラオケボックスエリアの一人用個室やカラオケボックスエリアの個室を使用して、歌を練習することができる。
【０００９】
また、本考案に係るカラオケ施設では、ステージエリアは、利用者層に応じた時間帯が設定され、各時間帯に対応した演出が行われることが好ましい。
【００１０】
本考案では、時間帯によって異なる利用者層に合わせて、多人数が共有できるステージエリアの演出を変えることができる。例えば、主婦や学生などの利用者が多い昼や夕方の時間帯では、お茶や珈琲などを飲食しながら司会者の進行によりステージ上でカラオケを披露する時間を盛り込んだ演出を行うことができ、仕事帰りの会社員などの利用者が多い夜の時間帯では、居酒屋の雰囲気を演出するとともに、利用者全員が合唱できる企画を盛り込むといった演出を行うことができる。
【００１１】
また、本考案に係るカラオケ施設では、夜の時間帯のステージエリアは、酒場として利用されることが好ましい。
【００１２】
本考案では、会社帰りの会社員などが多く集まる夜の時間帯において、居酒屋の雰囲気の中でステージ上でカラオケを楽しむ空間を実現することができる。
【００１３】
また、本考案に係るカラオケ施設では、昼の時間帯のステージエリアは、喫茶として利用されることが好ましい。
【００１４】
本考案では、主婦や学生などが多く集まる昼の時間帯において、喫茶としてお茶や珈琲等を飲食しながらステージ上でカラオケを楽しむ空間を実現することができる。
【考案の効果】
【００１５】
以上のように、本考案に係るカラオケ施設では、利用者の人数や多様化する利用者のニーズに合わせてステージエリア、カラオケボックスエリア、一人カラオケボックスエリアの３つの異なる形態のエリアを選択して最適なカラオケ空間を利用することができるうえ、各エリア間を移動して利用することができるので、利用時間中、様々な形態のカラオケを楽しむことができることから、顧客へのサービスの向上を図ることができる。
【考案を実施するための最良の形態】
【００１６】
以下、本考案を適用したカラオケ施設の実施の形態について、図１を参照して詳細に説明する。
図１は本考案を適用した実施の形態によるカラオケ施設を採用したカラオケ施設のレイアウトの一例を示す平面図である。
【００１７】
本考案の実施の形態によるカラオケ施設１は、複数の異なる形態のカラオケエリア（後述するステージエリア２、カラオケボックスエリア３、一人カラオケボックスエリア４）を備え、個人やグループなどの利用者が歌って楽しめる施設である。
【００１８】
すなわち、図１に示すように、カラオケ施設１は、ステージ２１が設けられていて、個人や複数のグループが共有の空間で利用できるステージエリア２と、グループ毎に利用可能な個室３１、３１からなるカラオケボックスエリア３と、個人が利用できる一人カラオケボックスエリア４とを備えている。そして、ステージエリア２、カラオケボックスエリア３、及び一人カラオケボックスエリア４は、個人やグループがその利用時間中においてそれぞれのエリア２、３、４間を移動して利用できるように設定された空間となっている。
【００１９】
なお、図１における各エリア２、３、４は、図中で二点鎖線で囲まれた範囲内に示されている。これら各エリア２、３、４には、それぞれカラオケ装置、照明設備、音響設備、映像設備などが備えられ、共通スペースとなる通路５によって移動可能となる配置となっている。
そして、本実施の形態では、一人カラオケボックスエリア４は、ステージエリア２の入口２ａ付近に配置されている。
【００２０】
具体的にステージエリア２は、パーティーや宴会などを目的とした多人数（例えば１５０人程度）を収容することが可能なテーブル席２２やカウンタ席２３を備えた所定の広さを有している。そして、本実施の形態では、テーブル席２２の正面にステージ２１が配置されている。ステージ２１には、大型モニタやマイクなどのカラオケ設備が設置され、ステージエリア２の左右両側など適宜な位置には、スピーカが配置されている。
なお、このステージエリア２は、上述したように大勢の前でカラオケを楽しむことができる空間であって、１つの団体で貸し切りにすることも可能であるし、或いは他のグループと一緒にカラオケを楽しむことができるスペースとなっている。
【００２１】
カラオケボックスエリア３の各個室３１は、例えば４名〜２０名程度を収容可能な大きさをなす空間であり、外部（通路５など）に通ずる扉が設けられ、内部にはテーブル、座席は勿論のこと、モニタ等のカラオケ装置一式が備えられている。
【００２２】
一人カラオケボックスエリア４は、例えば幅１．５ｍ、奥行き１．５ｍ程度のスペースからなる一人用個室４１、４１、…が複数個設けられている。本実施の形態では、例えば電話ボックスのように複数個の一人用個室４１、４１、…が一列（図１では左右方向）に配列されている。
【００２３】
そして、上述したカラオケボックスエリア３の個室３１、３１どうしや、一人カラオケボックスエリア４の一人用個室４１、４１どうしは、遮音壁などによって完全に仕切られ、各部屋の内部の音が外部に一切洩れないような構造になっている。
【００２４】
次に、このようなカラオケ施設１の作用及びその利用方法について具体的に説明する。
本カラオケ施設１では、利用者の人数やニーズに合わせてステージエリア２、カラオケボックスエリア３、一人カラオケボックスエリア４の３つの異なる形態のエリア２、３，４を選択してカラオケを楽しむことができるようになっている。そして、利用者は３つのエリア２、３、４間を移動して利用することが可能であるので、利用時間中、様々な形態でカラオケを楽しむことができる。
【００２５】
つまり、例えばステージエリア２で宴会を楽しんでいる利用者は、一時的にステージエリア２から出て、空いている一人カラオケボックスエリア４の一人用個室４１やカラオケボックスエリア３の個室３１を使用することができる。そのため、例えばステージエリア２で順番待ちをしている利用者や、大勢の人の前で歌うのが苦手な利用者は、一人カラオケボックスエリア４において一人で歌ったり、練習したりすることができる。
【００２６】
また、多人数が共有できるステージエリア２では、利用者層に応じた時間帯が設定され、各時間帯に対応した演出を行うことができ、その利用者層に合った演出の中でカラオケを楽しむことが可能な空間を実現することができる。
例えば、主婦や学生などの利用者が多い昼や夕方の時間帯では、お茶や珈琲などを飲食しながら司会者の進行によりステージ２１上でカラオケを披露する時間を盛り込んだ演出を行うことができ、仕事帰りの会社員などの利用者が多い夜の時間帯では、居酒屋の雰囲気を演出するとともに、利用者全員が合唱できる企画を盛り込んで、コンサートホールのような臨場感を演出することができる。
【００２７】
上述した本実施の形態によるカラオケ施設では、利用者の人数や多様化する利用者のニーズに合わせてステージエリア２、カラオケボックスエリア３、一人カラオケボックスエリア４の３つの異なる形態のエリアを選択して最適なカラオケ空間を利用することができるうえ、各エリア２、３、４間を移動して利用することができるので、利用時間中、様々な形態のカラオケを楽しむことができることから、顧客へのサービスの向上を図ることができる。
【００２８】
以上、本考案によるカラオケ施設の実施の形態について説明したが、本考案は上記の実施の形態に限定されるものではなく、その趣旨を逸脱しない範囲で適宜変更可能である。
例えば、本実施の形態のカラオケ施設１（図１）のレイアウトは一例であって、ステージエリア２、カラオケボックスエリア３、一人カラオケボックスエリア４の配置、広さ、個室の数量などは任意に設定することができる。
【００２９】
また、本実施の形態では、ステージエリア２の使用方法の事例について説明しているが、これに限定されることはなく、一般的な利用方法、すなわち数人のグループに対してはその人数に合った広さを有するカラオケボックスエリア３の個室３１を提供し、パーティーや宴会などを目的としたで多人数となる利用者に対してはステージ２１を備えたステージエリア２を提供し、そして個人（一人）の利用者に対しては一人カラオケボックスエリア４の一人用個室４１を提供することができる。
さらに、各エリア２、３、４の利用料金は、任意に設定できることは言うまでもない。例えば、ステージエリア２と一人カラオケボックスエリア４に対しては受付を済ませた利用者が自由に出入り（利用）することができ、カラオケボックスエリア３に対しては別料金を払うことで利用できるように設定することができる。
【図面の簡単な説明】
【００３０】
【図１】本考案を適用した実施の形態によるカラオケ施設のレイアウトの一例を示す平面図である。
【符号の説明】
【００３１】
１  カラオケ施設
２  ステージエリア
２１  ステージ
３  カラオケボックスエリア
３１  個室
４  一人カラオケボックスエリア
４１  一人用個室